(57)【要約】【課題】映像再生モードにおいて、本来スキップする区間内の映像に対してもユーザの希望に応じて内容が確認できる程度の特殊再生を実現し得る電子機器及び映像再生方法を提供する。【解決手段】一実施形態の電子機器によれば、映像コンテンツを再生する場合、１倍速の通常再生速度での再生機能を備えた電子機器の統合制御部において、さらに前記映像コンテンツに設定されている複数のチャプターの特定区間を前記通常再生速度とは異なる速度の特殊再生速度での再生を行う所定チャプター特殊再生部と、前記特定区間とは異なる区間を前記通常再生速度で再生する通常チャプター通常再生部と、を備える。【選択図】図１
2019102909.tif 000002
【特許請求の範囲】
【請求項１】
映像コンテンツを再生する場合、１倍速の通常再生速度での再生機能を備えた電子機器の統合制御部において、
さらに前記映像コンテンツに設定されている複数のチャプターの特定区間を前記通常再生速度とは異なる速度の特殊再生速度での再生を行う所定チャプター特殊再生部と、
前記特定区間とは異なる区間を前記通常再生速度で再生する通常チャプター通常再生部と、
を備える電子機器。
【請求項２】
さらに、前記所定チャプター特殊再生部の前記特殊再生速度を調整する速度調整部を備える、請求項１記載の電子機器。
【請求項３】
さらにメニュー画像処理部を有し、このメニュー画像処理部は、前記特殊再生速度の速度を設定するメニュー画面を出力する、請求項１又は２のいずれかに記載の電子機器。
【請求項４】
さらにメニュー画像処理部を有し、このメニュー画像処理部は、前記特殊再生速度での再生の実行対象となる番組を選択可能とするメニュー画面を出力する、請求項１又は２のいずれかに記載の電子機器。
【請求項５】
さらにメニュー画像処理部を有し、このメニュー画像処理部は、前記特殊再生速度での再生の実行対象となる任意のジャンルの番組を選択可能とするメニュー画面を出力する、請求項１又は２のいずれかに記載の電子機器。
【請求項６】
前記通常チャプター通常再生部は、前記特定区間とは異なる区間の内、前記特定区間の前後の一部をカットして再生する、請求項１又は２のいずれかに記載の電子機器。
【請求項７】
映像コンテンツを再生する場合、１倍速の通常再生速度での再生機能を備えた電子機器の映像再生方法において、
さらに前記映像コンテンツに設定されている複数のチャプターの特定区間を前記通常再生速度とは異なる速度の特殊再生速度での再生を行うことと、
前記特定区間とは異なる区間を前記通常再生速度で再生すること、
を備える映像再生方法。
【発明の詳細な説明】
【技術分野】
【０００１】
本実施形態は、電子機器及び映像再生方法に関する。
【背景技術】
【０００２】
映像を再生する電子機器において、記録媒体に記録した映像コンテンツに対して、チャプターを設定可能な機器がある。この電子機器は、チャプターが設定された映像コンテンツを再生する場合、任意のチャプターの先頭から映像再生を可能とする。またこの電子機器は、所定のチャプターを自動的にスキップして映像再生を行うこともできる。
【先行技術文献】
【特許文献】
【０００３】
【特許文献１】特開２０１１−１０１３４８号公報
【特許文献２】特開２０１３−２４３６２０号公報
【特許文献３】特開２００８−９８９６０号公報
【特許文献４】国際公開第２００７／１４５２８１号
【発明の概要】
【発明が解決しようとする課題】
【０００４】
一方では、チャプターマークで区切られた所定のチャプターを自動的にスキップして映像再生を可能とする電子器において、スキップするチャプターの内容を少しでもよいから確認したい、あるいは少しでも良いから見たいという、ユーザからの要望もある。また、本来スキップさせるチャプターであっても、このチャプター内に特殊なシーンが存在する場合は、少し確認したいという要望もある。
【０００５】
そこで本実施形態では、映像再生モードにおいて、本来スキップするチャプター内の映像に対してもユーザの希望に応じて内容が確認できる程度の特殊再生を実現し得る電子機器及び映像再生方法を提供することを目的とする。
【課題を解決するための手段】
【０００６】
本実施形態による電子機器は、映像コンテンツを再生する場合、１倍速の通常再生速度での再生機能を備えた電子機器の統合制御部において、
さらに前記映像コンテンツに設定されている複数のチャプターの特定区間を前記通常再生速度とは異なる速度の特殊再生速度での再生を行う所定チャプター特殊再生部と、
前記特定区間とは異なる区間を前記通常再生速度で再生する通常チャプター通常再生部と、を備える。
【０００７】
さらに前記統合制御部は、前記所定チャプター特殊再生部の早送り速度を調整する速度調整部を備えることができる。
【図面の簡単な説明】
【０００８】
【図１】図１は、本実施形態が適用された電子機器の概略的な構成を示す図である。
【図２】図２は、図１の電子機器１００が特有のチャプタースキップ動作を行うときの動作概念を説明するための図である。
【図３】図３は、図１の電子機器１００が特有のチャプタースキップ動作を行うときの動作例を示すフローチャートである。
【図４】図４は、図１の電子機器１００に対してチャプタースキップの動作モードを設定する際のメニュー画面の例を示す図である。
【図５】図５は、チャプタースキップに関して、表示器に表示されるメニューと、そのスキップ形態の設定画面の他の例を示す図である。
【図６】図６は、例えばコマーシャル区間の前後の本編映像（或いは中継映像）の繋ぎ処理方法に異なるタイプあることを示す図である。
【図７】図７は、図１の電子機器１００が特有のチャプタースキップ動作を行うときの他の動作例を示すフローチャートである。
【発明を実施するための形態】
【０００９】
以下、実施の形態について図面を参照して説明する。なお本明細書と各図において、既出の図に関して前述したものと同一又は類似した機能を発揮する構成要素には同一の参照符号を付し、重複する詳細な説明を適宜省略することがある。
【００１０】
図１は本実施形態が適用された電子機器１００の構成例を示している。電子機器１００は例えばテレビジョン受信機である。
【００１１】
電子機器１００は、放送チューナ１１３、デスクランブラ１１４、ＣＡＳ（Ｃｏｎｄｉｔｉｏｎａｌ Ａｃｃｅｓｓ Ｓｙｓｔｅｍ）モジュール１９０、デマルチプレクサ１１５を含む。衛星放送波は、入力端子１０１を介して、放送チューナ１１３に入力し、地上デジタル放送波は、入力端子１０２を介して放送チューナ１１３に入力する。
【００１２】
さらに電子機器１００は、データ放送受信処理部１１６、映像デコーダ１１７、音声デコーダ１１８、字幕デコーダ１１９、データ放送エンジン１２１、合成器１２２、表示制御部１２３、グラフィカルユーザインターフェース（ＧＵＩ）１２４などを含む。
【００１３】
上記放送チューナ１１３は、放送波で送られてきたストリーム（放送信号）を復調する。復調されたストリーム（放送信号）は、デスクランブラ１１４に入力される。デスクランブラ１１４は、入力されたストリームをＣＡＳモジュール１９０からの鍵を用いてデスクランブルする。デスクランブラ１１４によりデスクランブルされたストリームは、デマルチプレクサ１１５に入力される。
【００１４】
デマルチプレクサ１１５は、多重化されているストリームを映像ストリーム、音声ストリーム、データ放送ストリーム、字幕ストリーム、付属データに分離し、映像ストリームを映像デコーダ１１７に、音声ストリームを音声デコーダ１１８に、データ放送ストリームをデータ放送受信処理部１１６に、字幕ストリームを字幕デコーダ１１９に、付属データを統合制御部１５０にそれぞれ入力する。
【００１５】
映像ストリームは映像デコーダ１１７でデコードされ、音声ストリームは音声デコーダ１１８でデコードされ、字幕ストリームは字幕デコーダ１１９でデコードされる。
【００１６】
付属データに含まれるアプリケーション制御情報、サービスデータ、伝送制御信号等を含む制御データは、統合制御部１５０の解析部（図示せず）で解析される。
【００１７】
デマルチプレクサ１１５で分離されたデータ放送ストリームは、データ放送受信処理部１１６に送られ、受信処理が行われる。データ放送受信処理部１１６は、デマルチプレクサ１１５から送られてきたデータ放送ストリームから、データ放送されたデータを取り出し、この取り出したデータをデータ放送エンジン１２１に入力する。データ放送エンジン１２１は、送られてきたデータを解析し、この解析した表示データを、合成器１２２を介して表示制御部１２３に出力する。表示制御部１２３は、送られてきた表示データを端子１０５に接続された表示器１１に表示する。
【００１８】
映像デコーダ１１７にてデコードされた映像信号および字幕デコーダ１１９でデコードされた字幕信号は、合成器１２２で合成され表示制御部１２３を介して表示器１１に出力される。表示制御部１２３は、ガンマ特性の設定、表示画面サイズの設定、表示信号レベルの設定などを行う。
【００１９】
また音声デコーダ１１８でデコードされた音声データは、端子１０６に接続されたスピーカ１２に出力される。
【００２０】
統合制御部１５０は、電子機器１００の全体的なブロックを統括して制御する。統合制御部１５０は、デマルチプレクサ１１５で分離された、アプリケーション制御情報、サービスデータ、制御データの解析を行い、解析結果に応じて、電子機器１００を制御する。
【００２１】
制御データに含まれる伝送制御信号の中には、多重化されている映像信号の番組のチャンネル識別情報と番組識別情報とが含まれ、さらにこの多重化された映像信号の番組に対してアプリケーション機能を同時に提供するサービスが付加されていることを示す指定情報などが含まれている場合もある。
【００２２】
映像デコーダ１１７のコーデック種別は、放送チューナ１１３で受信する放送メディア、すなわち地上デジタルテレビジョン放送、ＢＳデジタル放送、広帯域ＢＳデジタル放送、高度ＢＳデジタル放送、高度広帯域ＣＳデジタル放送、狭帯域ＣＳデジタル放送等、受信する放送に応じたコーデック種別としてＭＰＥＧ−２（地上デジタルテレビジョン放送、ＢＳデジタル放送、広帯域ＢＳデジタル放送）、Ｈ．２６４(AVC:Advance Video Coding)（狭帯域ＣＳデジタル放送）、Ｈ．２６５（HEVC:High Efficiency Video Coding）（高度ＢＳデジタル放送、高度広帯域ＣＳデジタル放送）のいずれでもよい。またコーデック種別は、これに限るものではない。
【００２３】
受信機１００は、通信制御部１８０を含む。通信制御部１８０は、リモートコントローラ（リモコン）３１３とのＩ／ＦであるリモコンＩ／Ｆと、通信ネットワーク３１２とのＩ／ＦであるネットワークＩ／Ｆとを持つ。さらに携帯端末３１４と通信を可能とするために、端末連携制御Ｉ／Ｆも備える。
【００２４】
統合制御部（映像再生制御部と称してもよい）１５０は、記録再生制御部１５１を備える。この記録再生制御部１５１は、受信した番組を記録媒体２１０に録画することができる。また操作に応じて、録画した番組を記録媒体２１０から読み取り再生することができる。
【００２５】
録画のタイプは、録画モードの選択により各種選択が可能であってもよい。選択可能な録画モードとしては、例えば、２週間程度の全チャンネルの全番組を自動録画する全自動録画モードある。この場合、限定受信の対象となる有料番組を録画することに対しては視聴契約がなされていることが必要である。或いは、指定チャンネルの全番組、或は一部の番組を自動録画するモードがあってもよい。さらには、一部のチャンネルの自動録画とユーザが録画予約した番組を録画する予約録画とが組み合わさった録画モードがあってもよい。また統合制御部１５０は、デマルチプレクサ１１５で分離された、制御データの中から電子番組情報（ＥＰＧ）に基づいて、番組表を作成する番組表作成部１６１を含む。また統合制御部１５０は、初期設定、動作モードなどを設定するときに表示されるメニュー画面を出力するメニュー画面処理部１６２も含む。
【００２６】
さらにまた記録再生制御部１５１により記録媒体２１０に記録された番組情報は、記録番組情報部１７１により管理される。記録された番組において、シリーズ番組は、シリーズ番組管理部１７２で管理される。また記録媒体２１０に録画されており、未だに未視聴の番組の情報は、未視聴番組情報部１７３で管理される。
【００２７】
さらに、記録再生制御部１５１により記録媒体２１０から再生され視聴された番組情報は、視聴済番組情報部１７４により管理される。
【００２８】
上記の記録番組情報部１７１，シリーズ番組管理部１７２、未視聴番組情報部１７３、視聴済番組情報部１７４などは、まとめて録画番組管理部と称される。
【００２９】
統合制御部１５０は、時計２０１からの日時データを利用して、記録番組の経過日数を把握している。録画番組のうち、例えば古い番組は、番組保持期間管理部１７６で管理されている。古い番組、例えば３週間以上前に記録されて残っている番組は、近いうちに消去対象となる。消去対象となる番組は、消去処理部１７７にて判断され、記録媒体２１０から消去される。
【００３０】
図２は、図１の電子機器１００が特有のチャプタースキップ動作を行うときの動作概念を説明するための図である。今、映像コンテンツＶＣＯＮに対して、チャプターマークａ１、ａ２、ａ３、ａ４、チャプターマークｂ１、ｂ２が与えられているものとする。ここでチャプターマークａ１、ａ２、ａ３、ａ４は、例えば予め設計されたルールに従って、付加されたマークであり、チャプターマークｂ１、ｂ２は、ユーザが意識して、映像コンテンツＶＣＯＮに対して付加したマークであるものとする。チャプターマークａ１、ａ２、ａ３、ａ４、は所定（或いは特定）チャプターマーク、チャプターマークｂ１、ｂ２は通常チャプターマークと称してもよい。所定（或いは特定）チャプターマークの内、区間開始位置にはａ１，ａ３等の奇数の番号が付与され、区間終了位置には連続して２回目の特定のチャプターマークとしてａ２，ａ４等の偶数の番号が付与され、奇数と偶数とで特定のチャプター区間の開始と終了の組となっている。なお、チャプターマークは例えばコンテンツの頭からの位置に対応付けて記憶される。
【００３１】
図２の例では、番組が例えば２時間番組とし、左端が時間０：００：００、右端が時間２：００：００としている、また、チャプターマークは例えばコンテンツの頭からの位置に対応付けて記憶されるので、０：１０：２３を例示している。
【００３２】
なお上記の予め設計されたルールとは、例えば、ドラマ番組の記録或いは再生などの途中で、本編の途中にコマーシャルが挿入されている区間、或いは、特定の音声或いは映像が出力される区間を電子機器１００によって自動的に検出し、この区間の開始位置と終了位置に所定チャプターマークを付加するというものである。またユーザが意識して付加する通常チャプターマークとは、例えば、編集モードにおいて、番組再生中（通常再生速度で再生中、或いは早送り再生中）に、ユーザが気になるシーンがあったような場合に一時停止させるなどして、チャプターマーク挿入スイッチを操作することでチャプターマークを付加することである。
【００３３】
なお所定（或いは特定）チャプターマークと通常チャプターマークの識別は、例えば互いの識別コードが異なることで可能である。
【００３４】
今、映像コンテンツＶＣＯＮＴが、再生されるものとする。このときユーザは、再生モードとして、スキップ動作を設定しているものとする。スキップ動作に関しては、後述するように、例えば「おまかせ」処理が設定されているものとする。
【００３５】
上記の設定において、電子機器１００は、所定チャプター特殊再生部１５３の制御に基づき、所定チャプターの区間Ａ１、Ａ２に対して、本実施形態による特有な再生（具体的には１倍速を除く所定の倍速、例えば１６倍速再生。でも良いし、０．５倍速等１より小さい倍速であってもよい。）処理を実行する。また、電子機器１００は、通常チャプター通常再生部１５２の制御に基づき、通常チャプターの区間Ｂ（−２）、Ｂ（−１）、Ｂ１、Ｂ２に対して、通常再生速度で再生（１倍速再生）処理を実行する。つまり、本電子機器１００は、従来完全スキップしているチャプター内の映像に対してもユーザの希望に応じて内容が確認できる程度である、特定区間を特殊再生速度での再生を実現することができる。
【００３６】
この結果、視聴者は、所定チャプターが完全に見えなくなるわけではなく、チャプターの内容を少し確認、あるいは少し見ることができ、本電子機器１００は、これまでのユーザの要望に応えることができる。
【００３７】
なお、コマーシャル区間に所定チャプターを打つ場合、誤って本編を特殊再生しないよう、コマーシャル区間の頭と最後の数秒については１倍速再生（通常再生）するようにしてもよい。このようにすることにより、所定チャプターを打つ位置が多少前後した場合にも、本編を特殊再生してしまうことを防ぐことができる。
【００３８】
図３は、図１の電子機器１００が上述した特有のチャプタースキップ動作を行うときの動作を示すフローチャートである。各動作のステップに符号ＳＡ１、ＳＡ２・・・・などを付して示している。以下、電子機器１００の動作を説明する。
【００３９】
ユーザが録画リストから番組を選択すると、この選択された番組の再生を開始する（ＳＡ１、ＳＡ２）。再生が進むと番組終了か否かの判定を行い（ＳＡ３）、番組が終了していれば再生動作を終了する（ＳＡ２１、ＳＡ２２）。番組が終了していなければ、再生を続けながら、チャプターマークの有無をチェックする（ＳＡ４）。チャプターマークを検出した場合、特定のチャプターマークかどうかの判定を行う（ＳＡ５）。このＳＡ５では、いわゆる特定区間を特殊再生速度で再生するための開始位置を示す特定のチャプターマーク（図２のａ１、又はａ３）であるかどうかの判定を行う。
【００４０】
連続して２回目の特定のチャプターマーク（図２のａ２、又はａ４）であった場合、または特定のチャプターマークでない場合（図２のｂ１またはｂ２）は、通常再生速度での再生に切り替わる、または録画番組の再生を維持して通常再生速度で再生を行う（ＳＡ７、ＳＡ８）。
【００４１】
特定のチャプターマークを検出した場合（ＳＡ５）で、これまで通常再生速度で再生であった場合は（図２のａ１、又はａ３）、早送り速度（図２の例では例えば１６倍速）情報を取得して、該速度による早送り再生を実行する（ＳＡ６）。  また上記の再生を行いながら、番組終了か否かを判定し（ＳＡ３）、番組が終了したら（図２の２：００：００）、再生を終了する（ＳＡ２１）。
【００４２】
なお、本明細書においては、「チャプター」、「スキップ」などの用語を用いているが、本発明の趣旨は、この用語の範疇に限定されるものではない。例えばコンテンツ内の「特定区間」、「特定区間の特殊再生、或いは１倍速とは異なる速度の再生」など広い概念を含むものである。
【００４３】
図４は、チャプタースキップに関して、表示器１１に表示されるメニューと、そのスキップ形態又はスキップ動作の動作モード或いはスキップ動作の属性を設定するための設定画面の例を示す図である。
【００４４】
電子機器１００は、ユーザ操作に応答して、表示器１１にメニュー画面を表示することができる。図４のメニュー画面Ｍ１１は、設定メニューであり、このメニューの中には、スキップ動作を設定するための項目ｍ１を備える。
【００４５】
ユーザが、リモートコントローラ操作により、項目ｍ１にカーソルを合わせる等して選択し決定ボタンを押すと、録画番組リストの画面Ｍ１２が現れる。ユーザは、所望の番組（例えば番組Ｙ）にカーソルを合わせる等して選択してリモートコントローラの決定ボタンを押す（以下、この選択する動作を単に「選択」とも記載する）と、メニュー画面Ｍ１３に切り替わる。
【００４６】
このメニュー画面Ｍ１３には、スキップするチャプターを選んで下さいというメッセージと、予め番組Ｙに付与されているチャプター番号と、「おまかせ」の項目が現れる。チャプター番号は、映像コンテンツに対して例えばユーザが意識的に付けたチャプターマークにより設定されたチャプターに付与された番号である。
【００４７】
「おまかせ」に関するチャプターマークは、録画時に自動的に付与されたマークであり、例えばコマーシャルメッセージ（ＣＭ）が挿入されている区間（単にコマーシャル区間とも記す）、或いは、特定の音声或いは映像が出力される区間（例えば番組が盛り上がって音声が所定以上の区間等）を識別させるマークである。
【００４８】
ユーザが、リモートコントローラ操作により「おまかせ」を選択して決定ボタンを押すと、メニュー画面Ｍ１４に切り替わる。このメニュー画面Ｍ１４では、スキップ区間の再生速度を設定しますか？」と言うメッセージが表示される。そして選択項目としては、例えば、「おまかせ」、「１６倍以上」、「約１６倍」、「約８倍」、「約４倍」という項目が現れる。例えば「おまかせ」を選択すると、ここでは「約１６倍」を設定した場合と同様な再生速度に設定される。なお、ここでは、１倍速以上の再生速度を示しているが、１倍速以下の０．５倍速、０．８倍速などがあってもよい。
【００４９】
この設定の後、リモートコントローラを操作して、「戻る」のボタンを選択して決定ボタンを押すと、設定が終了する。
【００５０】
図５は、チャプタースキップに関して、表示器１１に表示されるメニューと、そのスキップ形態又はスキップ動作の動作モード或いはスキップ動作の属性の設定画面の他の例を示す図である。
【００５１】
電子機器１００は、ユーザ操作に応答して、表示器１１にメニュー画面を表示することができる。図５のメニュー画面Ｍ１１は、設定メニューであり、このメニュー画面Ｍ１１の中には、スキップ動作を設定するための項目ｍ１を備える。
【００５２】
ユーザが、リモートコントローラ操作により、項目ｍ１にカーソルを合わせる等して選択して決定ボタンを押す（以下、この選択する動作を単に「選択」とも記載する）と、スキップ処理を設定する番組のジャンルを問い合わせるメニュー画面Ｍ１Ｘでは、「スキップ動作を適用するジャンルを選択できます」と言うメッセージが表示される。選択項目としては、「選択しない」、「ドラマ」、「バラエティー」、「スポーツ」・・・が表示される。
【００５３】
ユーザが、リモートコントローラ操作により、項目「選択しない」を選択して決定ボタンを操作した場合、図４に示したメニュー画面Ｍ１２に移る（以後は図４で説明した内容と同じである）。
【００５４】
ユーザが、リモートコントローラ操作により、項目「スポーツ」を選択して決定ボタンを操作した場合、番組リストの画面Ｍ１２が現れる。この画面Ｍ１２の番組リストには、スポーツ番組のみの番組リストが選択されて表示される。ユーザは、所望の番組（例えば番組Ｇ vs Ｙ）を選択してリモートコントローラの決定ボタンを押すと、メニュー画面Ｍ１３に切り替わる。以後の手続き処理は、先の図４の説明と同じである。
【００５５】
上記したようにチャプタースキップによる再生を好みのジャンルの番組に適用することで、電子機器の使い方を豊富にすることができる。
【００５６】
図６は、例えばコマーシャル区間の前後の本編映像（或いは中継映像）の繋ぎ処理方法に異なるタイプあることを示す図である。
【００５７】
（Ａ）番組によっては例えばコマーシャル区間の前後につながっている本編に、一部重複した映像区間（いわゆるのりしろと称される場合もある）が確保されている場合がある（タイプ１）。このような番組は例えばドラマ、バラエティーが多い。
【００５８】
（Ｂ）一方、例えばスポーツ中継番組などにおいては、コマーシャル区間の前後につながっている本編に、一部重複した映像区間（いわゆるのりしろと称される場合もある）が省略されている場合がある（タイプ２）。
【００５９】
したがって、例えばコマーシャル区間をスキップしてこの区間の前後の本編部分（或いは中継部分）をつなげる場合、上記のタイプ１とタイプ２が再生された場合では、繋いだときの本編部分（或いは中継部分）の連続性に差異が生じることある。
【００６０】
図７に示すように、そこで、本実施形態の電子機器１００は、上記したようにタイプ１とタイプ２の番組で、スキップ再生を行う場合、適応的に本編部分の連続性をできるだけ確保できるようにしている。この動作も又はスキップ動作の動作モード或いはスキップ動作の属性と称してもよい。
【００６１】
図７において、図３の特定チャプタースキップ処理を説明したステップＳＡ１−ＳＡ８、ＳＡ２１，ＳＡ２２と同じ処理部には、同じ符号を付している。図３と図７で異なる部分は、ステップＳＡ５において、チャプターマークａ1又はａ３が検出された場合である。この場合は、次に、現在再生している番組がスポーツ番組であるかどうかを判断するステップＳＢ１と、のりしろカット処理を行うステップＳＢ２が設けられた点である。
【００６２】
つまり電子機器１００は、現在再生している番組が、スポーツ番組である場合は、即座に特殊再生速度での再生を終了し、１倍速の通常再生速度での再生動作に移行する。しかし、再生中の番組がドラマ、或いはバラエティー番組（スポーツ中継番組ではない）と判断した場合、のりしろカット処理を行う（ＳＢ２）。こののりしろカット処理は、スキップ区間の終端に続いている本編の一部（例えば５秒ないし１０秒程度）の再生処理を省略（ジャンプ）して、通常再生速度での再生に移行する処理である。これにより、おまかせによるスキップ処理において、同じシーンが２回連続するような映像が低減され、本編再生の自然な連続性を得ることができる。
【００６３】
なおこの電子機器１００は、「おまかせ」処理とは異なるマニュアルにより付されたチャプターを参照してスキップ処理を行う場合は、特殊再生速度での再生は行わないし、また、のりしろカット処理も行わない。
【００６４】
上記したように電子機器は、映像再生モードにおいて、本来スキップするチャプター内の映像に対してもユーザの希望に応じて内容が確認できる程度の再生（つまり特定区間の特殊再生速度での再生）を実現し得る。
（１）、上記実施形態は、映像コンテンツを再生する場合、１倍速の通常再生速度での再生機能を備えた電子機器の統合制御部において、
さらに前記映像コンテンツに設定されている複数のチャプターの特定区間を前記通常再生速度とは異なる速度の特殊再生速度での再生を行う所定チャプター特殊再生部と、前記特定区間とは異なる区間を前記通常再生速度で再生する通常チャプター通常再生部と、を備える。前記特定区間は、特定のチャプター内の一部の区間である場合もあるし、特定のチャプターの全部の区間である場合もあり得る。また前記前記１倍速とは異なる速度での再生機能は、１倍速より遅い速度での再生の場合も（０．１倍速、０．２倍速、０．５倍速、０．７５倍速など）含むし、１倍速より早い速度での再生の場合も含む。
【００６５】
さらに上記（１）において、１倍速より早い速度での再生例えば、２倍、或いは４倍など１６倍速を含む。
【００６６】
また上記（１）において、さらにメニュー画像処理部を有し、このメニュー画像処理部は、前記所定チャプターを早送り再生するいわゆる特殊再生速度で再生の属性設定を行うためのメニュー画面を出力する。たとえばメニュー画像処理部は、前記特殊再生速度での再生の実行対象となる任意のジャンルの番組を選択可能とするメニュー画面を出力することができる。また特殊再生速度での再生のタイプを番組のジャンルに応じて切り替える切り替え手段を備え、この切り替え手段は、所定特定区間の前後の本編の一部をカットして再生する第１タイプと、前記カットしない第２タイプとを切り替えることができる。
【００６７】
さらにまた上記（１）において、メニュー画像処理部は、特殊再生速度の速度を設定するメニュー画面を出力することができる。またメニュー画像処理部は、前記特殊再生速度での再生の実行対象となる番組を選択可能とするメニュー画面を出力することも可能である。
【００６８】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００６９】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００７０】
１１・・・表示器、１００・・・電子機器、１１４・・・放送チューナ、１１６・・・データ放送受信処理部、１１７・・・映像デコーダ、１１８・・・音声デコーダ、１１９・・・字幕デコーダ、１２１・・・データ放送エンジン、１２２・・・合成器、１２３・・・表示制御部、１２４・・・ＧＵＩ、１５０・・・統合制御部、１５１・・・記録再生制御部、１５２・・・通常チャプター通常再生部、１５３・・・所定チャプター特殊再生部、１６１・・・番組表作成部、１６２・・・メニュー画面処理部、１８０・・・通信制御部。
【図１】
2019102909.tif 000003
【図２】
2019102909.tif 000004
【図３】
2019102909.tif 000005
【図４】
2019102909.tif 000006
【図５】
2019102909.tif 000007
【図６】
2019102909.tif 000008
【図７】
2019102909.tif 000009